(57)【要約】【課題】小型化が可能で、かつ、小型化による駆動感度の低下を抑えることができるレンズホルダを駆動することができる光ピックアップモジュールを提供する。【解決手段】光源１０からの光を光ディスク２０等に集光して照射する対物レンズ１８を、フォーカシング方向（Ｆｏ方向）及びトラッキング方向（Ｔｒ方向）に駆動する対物レンズ駆動部１ａを備えた光ピックアップモジュール１において、レンズホルダ３０に設けられたフォーカシングコイル４０Ｆｏおよびトラッキングコイル４０Ｔｒと対向するように配置された駆動マグネット４２は、各コイルと対向する面にＦｏ方向に隣り合う極性の異なる２つの磁極領域が設けられる。かつ、トラッキングコイル４０Ｔｒは、レンズホルダ３０をＴｒ方向へ駆動する駆動力の発生に寄与する有効辺が１辺だけ駆動マグネット４２と対向するように配設されている。【選択図】図２
2007242197.tif 000002
【特許請求の範囲】
【請求項１】
光記録媒体に照射される記録あるいは再生用の光ビームを集光する対物レンズを保持するレンズホルダと、このレンズホルダをフォーカシング方向及び該フォーカシング方向に直交するトラッキング方向に変位可能に支持するホルダ支持部材との、いずれか一方にはフォーカシングコイル及び互いに対向配置されて対をなすトラッキングコイルが設けられ、前記レンズホルダ又は前記ホルダ支持部材のいずれか他方には前記フォーカシングコイル及び前記トラッキングコイルと鎖交する磁束を発生させる駆動マグネットが、前記フォーカシングコイルおよびトラッキングコイルと対向して配置された光ピックアップモジュールにおいて、
前記駆動マグネットの前記フォーカシングコイル及び前記トラッキングコイルと対向する面には、前記フォーカシング方向に隣り合う極性の異なる２つの磁極領域が設けられ、
前記フォーカシングコイルは、前記駆動マグネットの極性の異なる磁極領域の両方に対向するように配置され、
前記対をなすトラッキングコイルは、前記駆動マグネットのトラッキング方向の両端に、各トラッキングコイルの一つの有効辺のみが前記駆動マグネットに対向するように配置されることを特徴とする光ピックアップモジュール。
【請求項２】
前記極性の異なる２つの磁極領域のフォーカシング方向への長さを異ならせ、
前記トラッキングコイルが、フォーカシング方向の長さの長い方の磁極領域と対向するように配設されることを特徴とする請求項１に記載の光ピックアップモジュール。
【請求項３】
前記フォーカシングコイルが互いに長さの異なる対をなす有効辺を備え、
このフォーカシングコイルの長さの短い側の有効辺が、前記互いに対向して配置される対をなすトラッキングコイルの間に配置されることを特徴とする請求項１または２に記載の光ピックアップモジュール。
【請求項４】
前記各トラッキングコイルが略三角形状に巻回されて形成され、
該トラッキングコイルの一つの有効辺が前記駆動マグネットに対向して配置されることを特徴とする請求項１から３のいずれかに記載の光ピックアップモジュール。
【請求項５】
前記駆動マグネットの各磁極領域に、互いに対向するトラッキングコイルが１対ずつ配設され、かつ、各トラッキングコイルは、一つの有効辺のみが前記駆動マグネットの極性の異なる磁極領域のいずれかに対向して配置されることを特徴とする請求項１から４のいずれかに記載の光ピックアップモジュール。
【請求項６】
更に、前記レンズホルダまたは前記ホルダ支持部材のいずれか一方には、対をなすチルトコイルが、それぞれ前記駆動マグネットの極性の異なる磁極領域の両方に対向するように設けられ、
これら対をなすチルトコイルは、互いに離間して前記駆動マグネットのトラッキング方向の両端近傍に配置されることを特徴とする請求項１から５のいずれかに記載の光ピックアップモジュール。
【発明の詳細な説明】
【技術分野】
【０００１】
本発明は光ピックアップモジュールに関し、更に詳しくは、光記録媒体の記録・再生に好適に用いられる光ピックアップモジュールに関する。
【背景技術】
【０００２】
コンパクトディスク（以下ＣＤと称す。）やディジタル・ヴァーサタイル・ディスク（以下ＤＶＤと称す。）などのディスク状の光記録媒体に情報を記録・再生するためには光ピックアップモジュールが用いられる。
【０００３】
このような光ピックアップモジュールは、一般に、光記録媒体に照射される記録あるいは再生用の光ビームを発する光源と、この光源から出射される光ビームを光記録媒体に導く光路を構成する光学系と、この光ビームを光記録媒体に照射する対物レンズと、その対物レンズを保持するレンズホルダと、そのレンズホルダをフォーカシング方向およびトラッキング方向に駆動するためのレンズ駆動部とを備えている。
【０００４】
このレンズ駆動部は、対物レンズをフォーカシング方向およびトラッキング方向に駆動することによって、光ディスクの情報記録面上に設けられたトラックと対物レンズとの相対的な位置関係を補正するものである。すなわち、対物レンズを、対物レンズの光軸方向であるフォーカシング方向に移動させて、対物レンズと光ディスクの情報記録面との距離を調節して、情報記録面上に光ビームの焦点が結ばれるようにする。また、前記フォーカシング方向と直交する光ディスクの半径方向（トラッキング方向）における対物レンズの位置を調節して、光ビームの焦点が光ディスクの情報記録面上のトラックに正しく位置するようにする。
【０００５】
一般的なレンズ駆動部では、フォーカシング方向およびトラッキング方向における対物レンズの位置制御は、レンズホルダに設けられたコイルを流れる制御電流と、これらのコイルに近接して配置される駆動マグネットとの間に生じるローレンツ力を利用して行われる。
【０００６】
例えば、対物レンズを保持するレンズホルダに、１つのフォーカシングコイルおよび２つのトラッキングコイルが設けられ、このレンズホルダが、駆動マグネットにより発生される磁界中に配置される。更に、フォーカシングコイル及びトラッキングコイルに磁束が鎖交するような磁界を発生させるために、複数の駆動マグネットやヨーク等が組み合わされてコイルの近傍に配置されるか、複数の対をなす磁極領域が形成された駆動マグネットが用いられる。以下、フォーカシングコイルにおいて、レンズホルダをフォーカシング方向へ駆動するローレンツ力を発生する辺、および、トラッキングコイルにおいて、レンズホルダをトラッキング方向へ駆動するローレンツ力を発生させる辺を各コイルの有効辺と称する。
【０００７】
フォーカシングコイルおよびトラッキングコイルに制御電流が流れると、レンズホルダに駆動力が発生して、フォーカシング方向およびトラッキング方向にレンズホルダが駆動される。このフォーカシングコイルおよびトラッキングコイルに流れる制御電流の向きおよび大きさを制御することにより、対物レンズを光ディスクの情報記録面および情報トラックに対して正しい位置に配置することができる。
【０００８】
一方、光ピックアップモジュールでは、例えばノートパソコン等に搭載するためにモジュール全体の小型化が求められている。しかし、駆動マグネットやコイルを小型化すると、駆動力も小さくなってしまう。また、小型化により、駆動マグネット同士を近接して配置する必要が出てくるため、精度の良い組み立てが困難になる。
【０００９】
例えば、特許文献１に記載されたレンズ駆動装置は、図９に示すように、駆動マグネット１００のトラッキングコイル１０２Ｔｒ，１０２Ｔｒおよびフォーカシングコイル１０２Ｆｏと対向する面に、略方形の磁極領域１００Ｎ（例えばＮ極）と、この三方向を取り囲むように他の極性の磁極領域１００Ｓ（例えばＳ極）とが形成され、略Ｕ字形の境界線１０４を有する駆動マグネットを用いている。
【００１０】
図９（ａ）は、駆動マグネット１００とトラッキングコイル１０２Ｔｒ，１０２Ｔｒの位置関係を、図９（ｂ）は駆動マグネット１００とフォーカシングコイル１０２Ｆｏとの位置関係を示す図である。対をなすトラッキングコイル１０２Ｔｒ，１０２Ｔｒは、それぞれが駆動マグネット１００の境界線１０４のフォーカシング方向に延びる部分を跨ぐように配置される。また、フォーカシングコイル１０２Ｆｏは、駆動マグネット１００の境界線１０４のトラッキング方向に延びる部分を跨ぐように配置される。
【００１１】
【特許文献１】特開２００４−５９１８号公報
【発明の開示】
【発明が解決しようとする課題】
【００１２】
このように各トラッキングコイルの２辺を有効辺にするためには、各トラッキングコイルを互いに極性の異なる磁極領域の両方に対向させて配置しなければならない。そのためには、駆動マグネットは、トラッキング方向にも両磁極領域が隣り合うように形成されている必要がある。
【００１３】
しかしながら、互いに異なる磁極領域が隣り合う境界線近傍では、フォーカシングコイルおよびトラッキングコイルと鎖交する有効な磁束の密度が低くなる。このような磁気効率の低い領域にトラッキングコイルを配置すると、レンズ駆動部の駆動感度が低下してしまう。
【００１４】
このような磁気効率の低い領域を避けてトラッキングコイルの有効辺を配置するためには、駆動マグネットをトラッキング方向に大型化し、トラッキング方向に隣り合うそれぞれの磁極領域の面積を大きくして、これらの磁極領域の境界線からできるだけ離れた位置にトラッキングコイルの有効辺を配置しなければならず、駆動マグネットがトラッキング方向へ大型化してしまうといった問題があった。
【００１５】
そこで、本発明の解決しようとする課題は、トラッキング方向の小型化が可能で、かつ、トラッキング方向の小型化によるレンズホルダの駆動感度の低下を抑えることができる光ピックアップモジュールを提供することにある。
【課題を解決するための手段】
【００１６】
上記課題を解決するため、本発明に係る光ピックアップモジュールは、光記録媒体に照射される記録あるいは再生用の光ビームを集光する対物レンズを保持するレンズホルダと、このレンズホルダをフォーカシング方向及び該フォーカシング方向に直交するトラッキング方向に変位可能に支持するホルダ支持部材との、いずれか一方にはフォーカシングコイル及び互いに対向配置されて対をなすトラッキングコイルが設けられ、前記レンズホルダ又は前記ホルダ支持部材のいずれか他方には前記フォーカシングコイル及び前記トラッキングコイルと鎖交する磁束を発生させる駆動マグネットが、前記フォーカシングコイルおよびトラッキングコイルと対向して配置された光ピックアップモジュールにおいて、前記駆動マグネットの前記フォーカシングコイル及び前記トラッキングコイルと対向する面には、前記フォーカシング方向に隣り合う極性の異なる２つの磁極領域が設けられ、前記フォーカシングコイルは、前記駆動マグネットの極性の異なる磁極領域の両方に対向するように配置され、前記対をなすトラッキングコイルは、前記駆動マグネットのトラッキング方向の両端に、各トラッキングコイルの一つの有効辺のみが前記駆動マグネットに対向するように配置されることを要旨とするものである。
【００１７】
ここで、前記極性の異なる２つの磁極領域のフォーカシング方向への長さを異ならせ、前記トラッキングコイルが、フォーカシング方向の長さの長い方の磁極領域と対向するように配設されると好適である。
【００１８】
また、前記フォーカシングコイルが互いに長さの異なる対をなす有効辺を備え、このフォーカシングコイルの長さの短い側の有効辺が、前記互いに対向して配置される対をなすトラッキングコイルの間に配置されるようにすると好ましい。
【００１９】
更に、前記各トラッキングコイルが略三角形状に巻回されて形成され、該トラッキングコイルの一つの有効辺が前記駆動マグネットに対向して配置されるとより好適である。
【００２０】
また、前記駆動マグネットの各磁極領域に、互いに対向するトラッキングコイルが１対ずつ配設され、かつ、各トラッキングコイルは、一つの有効辺のみが前記駆動マグネットの極性の異なる磁極領域のいずれかに対向して配置されるとより好ましい。
【００２１】
また、更に、前記レンズホルダまたは前記ホルダ支持部材のいずれか一方には、対をなすチルトコイルが、それぞれ前記駆動マグネットの極性の異なる磁極領域の両方に対向するように設けられ、これら対をなすチルトコイルは、互いに離間して前記駆動マグネットのトラッキング方向の両端近傍に配置されるようにするとより好ましい。
【発明の効果】
【００２２】
本発明に係る光ピックアップモジュールは、前記駆動マグネットのコイルと対向する面に、前記フォーカシング方向に隣り合う２つの極性の異なる磁極領域が形成されて、前記各トラッキングコイルの一つの有効辺のみが前記駆動マグネットに対向して配置されている。従って、トラッキングコイルは、１つの有効辺のみが駆動マグネットに対向して、残りの部分は駆動マグネットに対向しないで駆動マグネットの端面から突出した状態に配置される。このようにすれば、駆動マグネットに、トラッキング方向に隣り合う極性の異なる磁極領域を形成する必要がない。従って、磁気効率の低い領域が形成されないので、駆動マグネットのトラッキング方向の長さを短くすることができ、駆動マグネットを小型化することが可能になり、すなわち光ピックアップモジュールの小型化に寄与することができる。
【００２３】
また、前記駆動マグネットの極性の異なる２つの磁極領域のフォーカシング方向の長さを異ならせ、前記トラッキングコイルが、フォーカシング方向の長さの長い方の磁極領域と対向するように配設すると、トラッキングコイルの有効辺を長くすることができる。これにより、トラッキング方向への駆動力を効率よく発生させることができ、一つの有効辺のみが駆動マグネットに対向する配置であっても、駆動感度の低下を抑えることができる。
【００２４】
さらに、前記フォーカシングコイルの対をなす有効辺の長さを異ならせ、この短い方の有効辺を挟んで前記対をなすトラッキングコイルが互いに対向するように配置すれば、対をなすトラッキングコイルを互いに近づけて配置することができる。そのため、駆動マグネットのトラッキング方向への長さを短くすることができる。また、トラッキングコイルに挟まれていない側のフォーカシングコイルの有効辺は長くすることができるので、フォーカシングコイルの有効辺の長さを確保しながら駆動マグネットのトラッキング方向の長さを短くすることができ、光ピックアップモジュールの小型化に寄与することができる。
【００２５】
また、前記トラッキングコイルが略三角形状に巻回されるようにすれば、例えばトラッキングコイルを略方形状に巻き回した場合に比較して、有効辺に対向する１辺を省くことができる。従ってトラッキングコイルのサイズを抑えることができる。
【００２６】
さらに、前記駆動マグネットの各磁極領域に、互いに対向するトラッキングコイルが１対ずつ配設されるようにすれば、各磁性領域のいずれか一方にのみトラッキングコイルが配設される場合に比較して、トラッキングコイルの有効辺をより稼ぐことができ、レンズホルダをトラッキング方向への駆動力を効率よく発生させることができる。
【００２７】
さらに、前記レンズホルダをトラッキング方向に対して傾ける方向、すなわちチルト方向への駆動力を発生させる対をなすチルトコイルが、互いに離間して、前記駆動マグネットのトラッキング方向の両端近傍に配設されるようにすれば、より好ましい。前記駆動マグネットは、フォーカシング方向に隣り合う２つの極性の異なる磁極領域が設けられており、トラッキング方向に隣り合う極性の異なる磁極領域が設けられていない。従って、前記対をなすチルトコイルを互いに離間して前記駆動マグネットのトラッキング方向の両端近傍に配設することができる。これにより、チルト方向へのトルクを発生させやすくなり、前記レンズホルダをチルト方向へ感度良く駆動することが可能となる。
【発明を実施するための最良の形態】
【００２８】
以下、本発明の実施の形態について、図１〜図８を参照して説明する。本発明に係る光ピックアップモジュール１は、例えば、ＣＤあるいはＤＶＤなどの光ディスク等の光記録媒体に対する情報記録、情報再生を行うものである。  
【００２９】
図１は本発明に係る光ピックアップモジュール１の光学系および制御系を模式的に示した概略構成図である。光源１０から出射された光ビームは、ビームスプリッタ１２を透過し、コリメータレンズ１４で平行光化された後、立ち上げミラー１６で反射され、対物レンズ１８で収束されて、光ディスク２０の情報記録面に焦点を結ぶように構成されている。
【００３０】
光ディスク２０の情報記録面で反射した戻り光は、対物レンズ１８を透過して、再び立ち上げミラー１６で反射され、ビームスプリッタ１２で屈折された後、光検出器２２に入射する。
【００３１】
この光源１０としては、例えば、波長６５０ｎｍ付近の赤外光を発生するＡｌＧａＩｎＰ系のレーザーダイオードや、波長７８０ｎｍ付近の外赤外光を発生するＡｌＧａＡｓ系のレーザーダイオード等が好適に用いられる。
【００３２】
なお、図１には１つの光源１０を有する光ピックアップモジュール１の例を示したが、光ピックアップモジュールが、２以上の光源を有し、異なる波長帯の光を用いるようにしても良い。このような場合には、光路合成素子等によって各レーザ光を共通光路に導く構成とするとよい。更に、対物レンズについては、同心円状の溝や段差により回折格子が形成された２波長レンズを用いれば、異なる波長のレーザ光による記録、再生を行うのに好適である。
【００３３】
対物レンズ駆動部１ａは、対物レンズ１８を支持し、この対物レンズ１８を対物レンズ１８の光軸方向であるフォーカシング方向、フォーカシング方向Ｆｏに直交する方向であり光ディスク２０の半径方向であるトラッキング方向、および、対物レンズ１８を傾ける方向であるチルト方向Ｔｉに駆動する。
【００３４】
制御装置２４は、光検出器２２での受光量に基づき情報再生を行うとともに、焦点信号やトラッキング信号等に基づいて対物レンズ駆動部１ａを駆動制御して対物レンズ１８のトラッキング方向Ｔｒ、フォーカシング方向Ｆｏ、チルト方向Ｔｉの位置をサーボ制御する。また、光源１０の駆動制御も行う。
【００３５】
ここで、例えばビームスプリッタ１２によって屈折された戻り光の光路に円柱レンズ等を配置して、戻り光に非点収差を付与し、光検出器２２として４分割光検出器を用いて行う非点収差法等により、光ビームの焦点が情報記録面に結ばれているかを示す焦点信号を制御装置２４が自動で検出することができる。
【００３６】
更に、光ビームの焦点が光ディスク２０の情報トラック上に位置しているかを示すトラッキング信号の検出は、例えば、回折格子によって光ビームを１つの主ビームと２つの補助ビームとに分け、これら３つのビームを情報トラックにわずかに傾けて配置し、補助スポットの作動信号からトラッキング信号を検出するという方法で行うことができる。
【００３７】
図２は、本発明の第１の実施例に係る光ピックアップモジュール１の対物レンズ駆動部１ａを示す分解斜視図である。尚、以下の説明において、図中の奥側すなわちレンズホルダに対してワイヤ固定部材の配置されている側を基端側とし、図中の手前側すなわちレンズホルダに対してワイヤ固定部材と反対側を先端側と称する。
【００３８】
対物レンズ駆動部１ａは、対物レンズ１８と、対物レンズ１８を保持するレンズホルダ３０と、このレンズホルダ３０をフォーカシング方向（矢印Ｆｏで示す方向）、トラッキング方向（矢印Ｔｒで示す方向）、及び、チルト方向（矢印Ｔｉで示す方向）に移動可能に６本のワイヤ３２ａで支持するワイヤ固定部材３２ｂと、レンズホルダ３０をフォーカシング方向Ｆｏ、トラッキング方向Ｔｒ及びチルト方向Ｔｉに駆動する駆動機構とを備えている。この駆動機構は、レンズホルダ３０をフォーカシング方向Ｆｏに駆動するフォーカシングコイル４０Ｆｏ、トラッキング方向Ｔｒに駆動するトラッキングコイル４０Ｔｒ，４０Ｔｒ、チルト方向Ｔｉに駆動するチルトコイル４０Ｔｉ，４０Ｔｉ、及び、ヨーク３２ｃに固定された駆動マグネット４２，４２からなる。
【００３９】
まず、レンズホルダ３０およびホルダ支持部材３２の構造を説明する。レンズホルダ３０は、平面視で略長方形状に形成されており、その中心部分に対物レンズ１８を保持する。このレンズホルダ３０において、トラッキング方向Ｔｒに直交する両側面には中継基板３６が固着されている。また、トラッキング方向Ｔｒに平行な両側面には、駆動機構を構成するフォーカシングコイル４０Ｆｏ、対をなすトラッキングコイル４０Ｔｒ，４０Ｔｒ、及び、対をなすチルトコイル４０Ｔｉ，４０Ｔｉが備えられている。これらの各コイルはレンズホルダ３０内部で中継基板３６に電気的に接続されている。
【００４０】
レンズホルダ３０の先端側側面および基端側側面（図示せず）には対をなす凹部４４，４４がそれぞれ形成される。この凹部４４，４４は、それぞれレンズホルダ３０のトラッキング方向Ｔｒの中心に対してほぼ対称な位置に形成されており、チルトコイル４０Ｔｉ，４０Ｔｉがこの凹部４４，４４に配置される。この凹部４４，４４はチルトコイル４０Ｔｉ，４０Ｔｉの厚さよりも若干深く凹設されており、凹部４４，４４にチルトコイル４０Ｔｉ，４０Ｔｉを配設した状態でチルトコイル４０Ｔｉ，４０Ｔｉの端面が、レンズホルダ３０の端面から突出しないようになっている。
【００４１】
ホルダ支持部材３２は、レンズホルダ３０を先端側で支持する６本のワイヤ３２ａと、ワイヤ３２ａをその基端側において支持するワイヤ固定部材３２ｂと、レンズ駆動部フレームを構成するとともに駆動機構の一部を構成するヨーク３２ｃとからなる。
【００４２】
これら６本のワイヤ３２ａはそれぞれ後述するフォーカシングコイル４０Ｆｏ、トラッキングコイル４０Ｔｒ，４０Ｔｒおよびチルトコイル４０Ｔｉ，４０Ｔｉへの給電ワイヤとしても用いられる。従って、各ワイヤ３２ａの先端側は、中継基板３６の各端子に半田付け等により固定されている。一方、ワイヤ３２ａの基端側は、ワイヤ固定部材３２ｂの背面に取り付けられた図示しないプリント基板の配線パターンに半田付けされている。
【００４３】
ヨーク３２ｃは底面部３４ａと、駆動機構を構成する一対の駆動マグネット４２，４２を保持するマグネット保持部３４ｂ，３４ｂとを備えている。ヨーク３２ｃは、略長方形状の磁性鋼板から形成されており、その対向する短辺側において保持部３４ｂ，３４ｂが切り起こされている。また、ヨーク３２ｃの底面部３４ａの中心付近には開口部３４ｗが設けられており、光源からのレーザ光が透過可能になっている。
【００４４】
次に、駆動機構の構成について説明する。駆動機構は、レンズホルダ３０の基端側側面および先端側側面のそれぞれに配設されたフォーカシングコイル４０Ｆｏと、一対のトラッキングコイル４０Ｔｒ，４０Ｔｒと、一対のチルトコイル４０Ｔｉ，４０Ｔｉと、ヨーク３２ｃの保持部３４ｂに保持されて各コイルと対向する一対の駆動マグネット４２を備えている。尚、各コイルと駆動マグネット４２との位置関係は、レンズホルダ３０の先端側および基端側とも同じ位置関係になるように配置されている。
【００４５】
フォーカシングコイル４０Ｆｏは扁平な巻き線型コイルであり、例えば、銅線あるいはアルミクラッド線等が略台形状に巻き回されて形成される。本実施例においては、特に、上辺よりも底辺が長い左右対称な台形状のフォーカシングコイル４０Ｆｏの例を示す。このフォーカシングコイル４０Ｆｏは、レンズホルダ３０の先端側および基端側の各側面に前記レンズホルダ３０の凹部４４，４４を覆うように配設される。
【００４６】
トラッキングコイル４０Ｔｒ，４０Ｔｒは、例えば銅線あるいはアルミクラッド線等が、略三角形状に巻き回された扁平な巻き線型コイルである。対をなすトラッキングコイル４０Ｔｒ，４０Ｔｒがレンズホルダ３０の先端側および基端側の各側面に設けられ、フォーカシングコイル４０Ｆｏの上辺を挟んで対向するように配置される。各トラッキングコイル４０Ｔｒは三角形の頂点をトラッキング方向Ｔｒの外側に向けて、１辺がトラッキング方向Ｔｒと直交するように配置される。これら対をなすトラッキングコイル４０Ｔｒ，４０Ｔｒ同士は、電流を流した際に、同じ向きに電流が流れるように電気的に接続される。
【００４７】
チルトコイル４０Ｔｉ，４０Ｔｉは、扁平な巻き線型コイルであり、例えば、銅線あるいはアルミクラッド線等が略四角形状に巻き回されて形成される。本実施例では上辺と下辺の長さがほぼ等しい略矩形状に巻き回されている。これらチルトコイル４０Ｔｉ，４０Ｔｉは、レンズホルダ３０の凹部４４，４４内に配設される。この対をなすチルトコイル４０Ｔｉ，４０Ｔｉは、電流を流した際に、逆回りに電流が流れるように、レンズホルダ３０内部で電気的に接続される。
【００４８】
図３は、対物レンズ駆動部１ａが組み立てられた状態を示す斜視図である。ヨーク３２ｃのマグネット保持部３４ｂの基端側面にワイヤ固定部材３２ｂが固定されることで、対向して配置された駆動マグネット４２，４２同士の間にレンズホルダ３０が配置される。
【００４９】
図４は駆動マグネット４２を示す斜視図である。駆動マグネット４２は直方体状に形成される。この駆動マグネット４２は、着磁コイルを巻き回した着磁コアを例えば鉄片などの磁性体に近接して配置して、この着磁コイルに高電流を流して磁界を発生させることで、磁性体が着磁コアの端面形状に対応した磁極領域で着磁されて形成される。
【００５０】
駆動マグネット４２は、フォーカシング方向Ｆｏに隣り合うように、極性の異なる２つの磁極領域が設けられている。本実施形態においては、これらの磁極領域の境界線４２ａが、トラッキング方向Ｔｒに略平行に、フォーカシング方向Ｆｏの中心よりやや下方に設けられている。図４は、各コイルとの対向面では上側がＮ極、下側がＳ極に、ヨーク側の面では上側がＳ極、下側がＮ極に着磁された例を示している。
【００５１】
ここでは、一体に形成された駆動マグネットを着磁して複数対の着磁領域を形成する例を示したが、一対の磁極領域のみが形成された駆動マグネットを複数個組み合わせて用いても良い。
【００５２】
次に、フォーカシングコイル４０Ｆｏ、トラッキングコイル４０Ｔｒ，４０Ｔｒおよびチルトコイル４０Ｔｉ，４０Ｔｉと駆動マグネット４２との相対的な位置関係を図５を参照して説明する。
【００５３】
フォーカシングコイル４０Ｆｏは、駆動マグネット４２の極性の異なる磁極領域の両方に対向するように配置される。更に詳しくは、フォーカシングコイル４０Ｆｏの上下方向の中心線と、駆動マグネット４２の磁極領域間の境界線４２ａとがほぼ重なるように配置され、フォーカシングコイル４０Ｆｏの上辺と底辺とがそれぞれ異なる磁極領域に対向するように配置される。
【００５４】
このように配置することにより、前記制御装置によりフォーカシングコイル４０Ｆｏに制御電流Ｉ（Ｆｏ）が供給されたときに、フォーカシングコイル４０Ｆｏの上辺と下辺で同じ方向のローレンツ力が発生する。従って、この上辺と下辺とがフォーカシングコイル４０Ｆｏの有効辺となり、レンズホルダ３０をフォーカシング方向Ｆｏに駆動する。
【００５５】
このように、フォーカシングコイル４０Ｆｏを、底辺が長く上辺が短い台形に巻き回すと、互いに対向して配置されるトラッキングコイル４０Ｔｒ，４０Ｔｒの間に配設される上辺は短く、トラッキングコイル４０Ｔｒ，４０Ｔｒに挟まれていない底辺は長くすることができる。そのため、トラッキングコイル４０Ｔｒ，４０Ｔｒの配置を妨げることがない。従って、フォーカシングコイル４０Ｆｏの有効辺の長さを確保しつつ、駆動マグネット４２のトラッキング方向Ｔｒの長さを短縮することができる。
【００５６】
略三角形状のトラッキングコイル４０Ｔｒ，４０Ｔｒは、駆動マグネット４２の境界線４２ａを跨がないように、一つの辺のみが駆動マグネット４２と対向するように、かつ、トラッキングコイル４０Ｔｒ，４０Ｔｒの頂点が、駆動マグネット４２のトラッキング方向の端面から突出するように配置される。さらに、対をなすトラッキングコイル４０Ｔｒ，４０Ｔｒのマグネットに対向する辺で制御電流Ｉ（Ｔｒ）の流れる方向が同じになるように、トラッキングコイル４０Ｔｒ，４０Ｔｒ同士は電気的に接続されている。
【００５７】
このように配置することにより、図示しない制御装置２４によりトラッキングコイル４０Ｔｒ，４０Ｔｒに制御電流Ｉ（Ｔｒ）が供給されたときに、各トラッキングコイル４０Ｔｒでは同じ方向のローレンツ力が発生し、レンズホルダ３０をトラッキング方向Ｔｒに駆動することができる。
【００５８】
また、このような配置によれば、トラッキングコイル４０Ｔｒ，４０Ｔｒのトラッキング方向Ｔｒと直交する２辺の各々に、異なる極性の磁極領域を対向させる必要がない。従って、駆動マグネット４２に磁気効率の低い領域が形成されないので、駆動マグネット４２のトラッキング方向の寸法を短縮することができる。
【００５９】
また、トラッキングコイル４０Ｔｒ，４０Ｔｒの、マグネットに対向していない部分を、レンズホルダ側または駆動マグネット４２側に折り曲げるようにすれば、よりスペースを節約することができる。
【００６０】
本実施例においては、駆動マグネット４２の上側の磁極領域のフォーカシング方向の長さが、下側の磁極領域のフォーカシング方向の長さより長くなっている。これにより、トラッキングコイル４０Ｔｒ，４０Ｔｒの有効辺を長くすることができる。従って、トラッキング方向Ｔｒのローレンツ力を十分に確保しながら、光ピックアップモジュール１の小型化を図ることが可能になる。
【００６１】
また、トラッキングコイル４０Ｔｒを略三角形状に巻き回すことによって、トラッキングコイルを略方形に巻き回した場合と比較して、有効辺に対向する一辺を省略することができ、トラッキングコイル４０Ｔｒのサイズを抑えることができる。
【００６２】
チルトコイル４０Ｔｉは、駆動マグネット４２の境界線４２ａを跨ぐように配置される。更に詳しくは、チルトコイル４０Ｔｉの上下方向の中心線と、駆動マグネット４２の境界線４２ａとがほぼ重なるように、チルトコイル４０Ｔｉの上辺と下辺とがそれぞれ異なる磁極領域に対向するように配置される。更に、対をなすチルトコイル４０Ｔｉ，４０Ｔｉが互いに離間するように、駆動マグネット４２のトラッキング方向Ｔｒの両端部に対向して配置される。そして、対をなすチルトコイル４０Ｔｉ，４０Ｔｉ同士で制御電流Ｉ（Ｔｒ）の流れる方向が逆向きなるように、トラッキングコイル４０Ｔｒ，４０Ｔｒは電気的に接続される。
【００６３】
このチルトコイル４０Ｔｉに電流を流すと、チルトコイル４０Ｔｉの上辺と下辺で同じ方向のローレンツ力が発生する。そして、対をなすチルトコイル４０Ｔｉ，４０Ｔｉ同士では電流の流れる向きが異なり、対をなすチルトコイル４０Ｔｉ，４０Ｔｉ同士で反対方向のローレンツ力が発生する。従って、対物レンズを傾ける方向すなわちチルト方向Ｔｒにレンズホルダ３０を駆動することができる。
【００６４】
本実施例の光ピックアップモジュール１が備える対物レンズ駆動部においては、駆動マグネット４２の各コイルと対向する面には、異なる極性の磁極領域が、フォーカシング方向Ｆｏに隣り合うように設けられており、トラッキング方向Ｔｒに隣り合うようには設けられていない。従って、チルトコイル４０Ｔｉ，４０Ｔｉを互いに離間させて、駆動マグネット４２のトラッキング方向Ｔｒの両端部に対向させて配置することができる。これにより、対物レンズを傾ける方向へのトルクが発生しやすくなり、チルト方向Ｔｉへ効率よく駆動することが可能となる。
【００６５】
次に本発明の第２の実施例に係る光ピックアップモジュール１について、図６を参照して説明する。尚、この光ピックアップモジュールにおいて、光学系、レンズホルダ、ヨーク等、第１の実施例と同一の部材については説明を省略し、駆動機構の配置についてのみ説明する。
【００６６】
図６は本発明の第２の実施例に係る光ピックアップモジュール１に備えられた対物レンズ駆動部の駆動機構である駆動マグネット４２と、フォーカシングコイル４０Ｆｏと、トラッキングコイル４０Ｔｒ，４０Ｔｒと、チルトコイル４０Ｔｉ，４０Ｔｉとの位置関係を示す図である。
【００６７】
駆動マグネット４２は、フォーカシング方向Ｆｏの中心にトラッキング方向Ｔｒに略平行に延びる境界線４２ａを介して隣り合うように、極性の異なる２つの磁極領域が設けられている。図６では、各コイルとの対向面では上側がＮ極、下側がＳ極に着磁された例を示している。
【００６８】
フォーカシングコイル４０Ｆｏは、フォーカシングコイル４０Ｆｏの上下方向の中心線と、駆動マグネット４２の磁極領域間の境界線４２ａとがほぼ重なるように配置され、フォーカシングコイル４０Ｆｏの上辺と下辺とがそれぞれ異なる磁極領域に対向するように配置される。
【００６９】
チルトコイル４０Ｔｉは、チルトコイル４０Ｔｉの上下方向の中心線と、駆動マグネット４２の境界線４２ａとがほぼ重なるように、チルトコイルＴｉの上辺と下辺とがそれぞれ異なる磁極領域に対向するように配置される。更に、対をなすチルトコイル４０Ｔｉ，４０Ｔｉが互いに離間するように、駆動マグネット４２のトラッキング方向Ｔｒの両端部に重なるように配置される。そして、対をなすチルトコイル４０Ｔｉ，４０Ｔｉ同士で制御電流Ｉ（Ｔｒ）の流れる方向が逆向きなるように、トラッキングコイル４０Ｔｒ，４０Ｔｒは電気的に接続される。
【００７０】
トラッキングコイル４０Ｔｒ，４０Ｔｒは、２対備えられており、一方の対をなすトラッキングコイル４０Ｔｒ，４０Ｔｒが、駆動マグネット４２の一方の磁極領域に対向して、他方の対をなすトラッキングコイル４０Ｔｒ，４０Ｔｒが、駆動マグネット４２の他方の磁極領域に対向して配置される。そして、これら２対のトラッキングコイルはそれぞれの対で制御電流Ｉ（Ｔｒ）の流れる向きが逆になるように接続されている。このような構成とすることで、各トラッキングコイル４０Ｔｒで発生するローレンツ力が同じ向きとなり、より大きな駆動力を得ることができる。従って、対物レンズの駆動感度がより向上する。
【００７１】
さらに、第２の実施例の変形例を図７に示す。図７は第２の実施形態の変形例に係る光ピックアップモジュールの駆動機構の配置を示した図である。尚、この光ピックアップモジュールにおいて、光学系、レンズホルダ、ヨーク等、第１の実施例と同一の部材については説明を省略し、駆動機構の配置についてのみ説明する。
【００７２】
この駆動機構は、駆動マグネット４２と、フォーカシングコイル４０Ｆｏと、２組の対をなすトラッキングコイル４０Ｔｒ，４０Ｔｒを備えており、対物レンズを保持するレンズホルダを、フォーカシング方向Ｆｏ及びトラッキング方向Ｔｒに駆動することができる。レンズホルダをチルト方向に駆動するチルトコイルは設けられていない。
【００７３】
駆動マグネット４２は、極性の異なる２つの磁極領域がフォーカシング方向Ｆｏに隣り合うように設けられている。これら２つの磁極領域の間の境界線４２ａは、駆動マグネット４２のフォーカシング方向Ｆｏの中心に設けられる。図７では、各コイルとの対向面では上側がＮ極、下側がＳ極に着磁された例を示している。
【００７４】
フォーカシングコイル４０Ｆｏは、略矩形に巻き回されており、フォーカシングコイル４０Ｆｏの上下方向の中心線と、駆動マグネット４２の磁極領域間の境界線４２ａとがほぼ重なって、フォーカシングコイル４０Ｆｏの上辺と下辺とがそれぞれ異なる磁極領域に対向するように配置される。
【００７５】
トラッキングコイル４０Ｔｒは、略矩形に巻き回されており、各トラッキングコイル４０Ｔｒの１辺のみが駆動マグネット４２に対向するように配置されている。このようなトラッキングコイル４０Ｔｒが２対設けられており、１対ずつ駆動マグネット４２の各磁極領域のトラッキング方向の両端に配置される。これら対をなすトラッキングコイル４０Ｔｒ，４０Ｔｒ同士では制御電流Ｉ（Ｔｒ）の流れる向きが同じになるように、かつ、異なる対同士では制御電流Ｉ（Ｔｒ）の流れる向きが逆になるように接続される。このような構成とすることで、各トラッキングコイル４０Ｔｒで発生するローレンツ力が同じ向きとなり、より大きな駆動力を得ることができる。
【００７６】
また、第２の実施例の別の変形例を図８に示す。図８はこの変形例に係る光ピックアップモジュールの駆動機構の配置を示した図である。尚、この光ピックアップモジュールにおいて、光学系、レンズホルダ、ヨーク等、第１の実施例と同一の部材については説明を省略し、駆動機構の配置についてのみ説明する。
【００７７】
この駆動機構は、駆動マグネット４２と、フォーカシングコイル４０Ｆｏと、対をなすトラッキングコイル４０Ｔｒ，４０Ｔｒを備えており、レンズホルダを、フォーカシング方向Ｆｏ及びトラッキング方向Ｔｒに駆動することができる。
【００７８】
駆動マグネット４２は、極性の異なる２つの磁極領域がフォーカシング方向Ｆｏに隣り合うように設けられている。これら２つの磁極領域の間の境界線４２ａは、駆動マグネット４２のフォーカシング方向Ｆｏの中心に設けられる。
【００７９】
フォーカシングコイル４０Ｆｏは、略矩形に巻き回されており、フォーカシングコイル４０Ｆｏの上辺と下辺とがそれぞれ異なる磁極領域に対向して、上辺と下辺がそれぞれ有効辺になるように配置される。
【００８０】
トラッキングコイル４０Ｔｒは、略矩形に巻き回されており、各トラッキングコイル４０Ｔｒの１辺のみが駆動マグネット４２に対向するように、駆動マグネット４２のトラッキング方向の両端に配置される。そして、対をなすトラッキングコイル４０Ｔｒ，４０Ｔｒは、制御電流Ｉ（Ｔｒ）の流れる向きが同じになるように接続されている。
【００８１】
このように、各トラッキングコイル４０Ｔｒは、有効辺が１辺だけになるように配置されているので、駆動マグネット４２に、トラッキング方向Ｔｒに隣り合う異なる磁極領域を設ける必要がない。従って、駆動マグネット４２のトラッキング方向Ｔｒの長さを短縮することができる。
【００８２】
以上、本発明の実施形態について説明したが、本発明はこうした実施形態に何ら限定されるものではなく、本発明の趣旨を逸脱しない範囲において、種々なる態様で実施できることはもちろんである。例えば、コイルをプリント基板上に形成するプリントコイル基板に適用することができ、また、軸摺動式のレンズ駆動部を備える光ピックアップモジュールにも適用できる。
【産業上の利用可能性】
【００８３】
本発明に係る光ピックアップモジュールによれば、小型化が可能で、かつ、効率良くレンズホルダを駆動することができるので、光ディスクの再生・記録に好適である。
【図面の簡単な説明】
【００８４】
【図１】本発明に係る光ピックアップモジュールの光学系および制御系を模式的に示した概略構成図である。
【図２】本発明の第１の実施例に係る光ピックアップモジュールの対物レンズ駆動部を示す分解斜視図である。
【図３】図２に示した対物レンズ駆動部が組み立てられた状態を示す斜視図である。
【図４】図３に示した対物レンズ駆動部の駆動マグネットを示す斜視図である。
【図５】図３に示した対物レンズ駆動部の駆動マグネットとフォーカシングコイル、トラッキングコイルおよびチルトコイルとの相対的な位置関係を表す図である。
【図６】第２の実施例に係る光ピックアップモジュールに備えられた駆動マグネットとフォーカシングコイル、トラッキングコイルおよびチルトコイルとの相対的な位置関係を表す図である。
【図７】本発明の第２の実施例の変形例の駆動マグネットとフォーカシングコイルおよびトラッキングコイルとの相対的な位置関係を表す図である。
【図８】本発明の第２の実施例の別の変形例の駆動マグネットとフォーカシングコイルおよびトラッキングコイルとの相対的な位置関係を表す図である。
【図９】従来の光ピックアップモジュールの駆動マグネットとフォーカシングコイルおよびトラッキングコイルとの相対的な位置関係を表す図である。
【符号の説明】
【００８５】
１    光ピックアップモジュール
１ａ，１ｂ  対物レンズ駆動部
１０  光源
１８  対物レンズ
２０  光ディスク
３０，３０’  レンズホルダ
３２  ホルダ支持部材
３２ａ  ワイヤ
３２ｂ  ワイヤ固定部材
３２ｃ  ヨーク
４０Ｆｏ  フォーカシングコイル
４０Ｔｒ  トラッキングコイル
４０Ｔｉ  チルトコイル
４２  駆動マグネット
４２ａ  境界線
【図１】
2007242197.tif 000003
【図２】
2007242197.tif 000004
【図３】
2007242197.tif 000005
【図４】
2007242197.tif 000006
【図５】
2007242197.tif 000007
【図６】
2007242197.tif 000008
【図７】
2007242197.tif 000009
【図８】
2007242197.tif 000010
【図９】
2007242197.tif 000011